(57)【要約】【課題】通信端末のデータ通信時に多様な情報提供を行う。【解決手段】データ通信機能を有する通信端末である携帯電話機１３は、通信先検知部７１と、Ｗｅｂページ決定部７２とを備え、データ通信に際して、通信先検知部７１が検知した通信先情報に基づいてＷｅｂページ決定部７２がアクセスすべきＷｅｂページを決定する。【選択図】図１
2009105686.tif 000002
【特許請求の範囲】
【請求項１】
データ通信処理機能を有する通信端末において、
データの通信先を特定するための通信先情報を検知するための通信先検知手段と、
上記通信先情報と、ネットワーク上のリソースにアクセスするためのアクセス情報との対応関係を記憶した記憶部を参照して、上記通信先検知手段により検知された通信先情報に対応するアクセス情報を読み出し、アクセスすべきリソースを決定するリソース決定手段とを備えることを特徴とした通信端末。
【請求項２】
上記ネットワークは、ＩＰネットワークであることを特徴とした請求項１に記載の通信端末。
【請求項３】
上記リソース決定手段によって決定されたリソースにアクセスし、上記リソースの内容を通信端末が備える表示部に表示することを特徴とした請求項１または２に記載の通信端末。
【請求項４】
上記アクセス情報はＵＲＬを含み、アクセスすべき上記ＩＰネットワーク上のリソースは、該ＵＲＬによって特定されるＷｅｂページであることを特徴とする請求項２に記載の通信端末。
【請求項５】
Ｗｅｂページの表示内容をキャプチャするキャプチャ手段を備えることを特徴とした請求項４に記載の通信端末。
【請求項６】
上記通信先情報と関連付けて、上記キャプチャ手段によってキャプチャしたキャプチャ内容を記憶部に保存することを特徴とした請求項５に記載の通信端末。
【請求項７】
上記キャプチャ手段によってキャプチャしたキャプチャ内容を、上記通信端末が備える表示部に表示することを特徴とした請求項５または６に記載の通信端末
【請求項８】
上記記憶部は、上記通信先情報と対応付けて、Ｗｅｂページ上での上記通信先の属性を示す通信先属性情報を記憶していることを特徴とする請求項４から７の何れか１項に記載の通信端末。
【請求項９】
上記記憶部は、さらに、上記通信先情報と対応付けて、Ｗｅｂブラウザを起動する指示となるブラウザ起動指示情報の送信対象となる機器を特定するためのブラウザ起動機器特定情報を記憶するものであり、
上記リソース決定手段は、上記通信先検知手段により検知された通信先情報と対応付けて、上記ブラウザ起動機器特定情報を読み出すものであり、
その読み出されたブラウザ起動機器特定情報により特定される機器に対して、上記ブラウザ起動指示情報および上記アクセス情報を送信するＷｅｂブラウザ起動指示手段を備えることを特徴とする請求項４から８の何れか１項に記載の通信端末。
【請求項１０】
上記記憶部は、さらに、下記データ中継機器特定情報を、上記通信先情報と対応付けて記憶するものであり、
上記データ中継機器特定情報は、自端末から発信されるデータを上記通信先に中継する指示となるデータ中継指示情報の送信対象となる機器を特定するための情報であり、
上記リソース決定手段は、上記データ中継機器特定情報を、上記通信先検知手段により検知された通信先情報と対応付けて、上記記憶部から読み出し、
さらに、その読み出されたデータ中継機器特定情報により特定される機器に対して、上記データ中継指示情報を送信するデータ中継指示手段を備えることを特徴とする請求項４から８の何れか１項に記載の通信端末。
【請求項１１】
携帯可能な携帯通信端末であることを特徴とする請求項１から１０の何れか１項に記載の通信端末。
【請求項１２】
請求項１から１１までの何れか１項に記載の通信端末を動作させる通信端末制御プログラムであって、コンピュータを上記の各手段として機能させるための通信端末制御プログラム。
【請求項１３】
請求項１２に記載の通信端末制御プログラムを記録したコンピュータ読み取り可能な記録媒体。
【請求項１４】
データ通信処理機能を有する通信端末の制御方法において、
データの通信先を特定するための通信先情報を検知するための通信先検知ステップと、
上記通信先情報と、ネットワーク上のリソースにアクセスするためのアクセス情報との対応関係を記憶した記憶部を参照して、上記通信先検知ステップにより検知された通信先情報に対応するアクセス情報を読み出し、アクセスすべきリソースを決定するリソース決定ステップとを含むことを特徴とした通信端末の制御方法。
【発明の詳細な説明】
【技術分野】
【０００１】
本発明は、通信を行う際、データ通信処理機能を有する通信端末に関するものである。
【背景技術】
【０００２】
今日において、ＰＤＡ（Personal Digital Assistant）、携帯電話機などの携帯可能な通信端末の中にはＢｌｕｅｔｏｏｔｈ（登録商標）等の無線通信技術機能やデスクトップＰＣ（Personal Computer）の機能に相当するような高度な機能を備えているものもある。そのため、上記通信端末上で、デスクトップＰＣと通信を行ったり、Ｗｅｂブラウザを起動しＷｅｂページにアクセスしたりすることができる。また、この中でも、携帯電話機は我が国において広く普及していることから、コミュニケーションのツールとして定着しており、また、携帯電話機には、上述の機能を備えたものも多くみられる。
【０００３】
携帯電話機は、データ通信処理機能として、電話機能のみならず電子メール機能等を備えていることが一般的である。また、一般的な携帯電話機は、通信相手の各通信先を記憶するアドレス帳を備え、例えば電話による通信のためには電話番号、電子メールシステムを用いた通信のためには電子メールアドレスといったアドレス情報をアドレス帳に登録しておくことができる。
【０００４】
そして、上記携帯電話機には、上記アドレス帳にアドレス情報として、通信先が固定電話であることを示すアイコンや、任意の画像ファイルなどを添付して保存することができるものもある。このような携帯電話機は特定の通信先との通信の際、上記のアイコンや、画像ファイルを表示するといった情報提供をするので、通信先を確認することができる。
【０００５】
また、情報提供の別の例としては、これはＩＰ（Internet Protocol）電話機の例であるが、特許文献１に示すような発明が開示されている。すなわち、電話管理情報をもつ電話機の通信先がＩＰ電話機であった場合、ＩＰ電話機であることを識別し、自機の電話管理情報に通信先がＩＰ電話機であることを示すマーカを記録し、以後、上記通信先からの受信時にマーカを表示する機能に関する発明である（特許文献１参照）。
【特許文献１】特開２００５−７３１８１（２００５年３月１７日公開）
【発明の開示】
【発明が解決しようとする課題】
【０００６】
ところが、上記従来の技術においては、特定の通信先との通信が行われたことを単にユーザに知らせるに留っていた。さらにいうと、上述の例においては、単に過去にユーザが登録した情報を表示しているのみである。上述のように、何れの例においても、通信の際に多様な情報提供を行うということには至っていないといえる。
【０００７】
本発明は上記の課題点を解決するためになされたもので、その目的は、通信端末がデータ通信を行う際、多様な情報を提供できる通信端末を実現することにある。
【課題を解決するための手段】
【０００８】
本発明に係る通信端末は、データ通信処理機能を有する通信端末であって、上記課題を解決するために、データの通信先を特定するための通信先情報を検知するための通信先検知手段と、上記通信先情報と、ネットワーク上のリソースにアクセスするためのアクセス情報との対応関係を記憶した記憶部を参照して、上記通信先検知手段により検知された通信先情報に対応するアクセス情報を読み出し、アクセスすべきリソースを決定するリソース決定手段とを備えることを特徴としている。
【０００９】
また、本発明に係る通信端末の制御方法は、データ通信処理機能を有する通信端末の制御方法であって、上記課題を解決するために、データの通信先を特定するための通信先情報を検知するための通信先検知ステップと、上記通信先情報と、ネットワーク上のリソースにアクセスするためのアクセス情報との対応関係を記憶した記憶部を参照して、上記通信先検知ステップにより検知された通信先情報に対応するアクセス情報を読み出し、アクセスすべきリソースを決定するリソース決定ステップとを含むことを特徴としている。
【００１０】
ここで、アクセス情報とは、ネットワーク上のリソースを特定するための情報である。また、リソースとは、例えば、文字データ、音声データ、もしくは、画像データなどの各種のデータまたはこれらを結合したデータ等が挙げられる。しかしながら、これに限られず、特定のアプリケーションが処理可能なバイナリデータであってもよい。
【００１１】
上記構成によれば、通信端末が他の通信端末とデータを通信するときに、その通信先を特定する通信先情報が通信先検知手段により検知され、検知された通信先情報に対応するアクセス情報がリソース決定手段により読み出される。そして、リソース決定手段により、ネットワーク上のアクセスすべきリソースが決定される。
【００１２】
したがって、特定の通信先を特定する通信先情報と、その通信先情報に対応してアクセスさせるべきリソースとの対応関係を記憶部に記憶しておけば、その通信先と通信端末との間でデータの通信が行われた場合、アクセスすべきリソースが自動的に決定される。そして、決定されたリソースにアクセスすることで、ユーザはそのリソースから多様な情報を取得することができる。
【００１３】
なお、リソースへのアクセスは、通信端末自身が備えるデータ通信機能により実現されても良いし、通信端末以外の通信機器、例えばインターネット接続可能なＰＣにより実現されてもよい。また、本発明に係る通信端末のデータ通信処理機能は、ネットワーク上のリソースにアクセスするための通信機能のほか、１つ以上の通信機能を有するように構成することも可能である。
【００１４】
これにより、従来技術のように、特定の通信先との通信が行われたことを単にユーザに知らせるに留まらず、多様な情報をネットワーク上のリソースからユーザに伝えることができるので、ユーザにとってより一層の利便性を図ることができる。
【００１５】
また、上記構成において、上記ネットワークは、ＩＰネットワークであってもよい。
【００１６】
ここで、ＩＰネットワーク上のリソースとは、ＩＰの上位層のプロトコルによって伝送されるデータのことである。ＩＰの上位層のプロトコルとしては、ＴＣＰ（Transmission Control Protocol）、ＵＤＰ（User Datagram Protocol）が挙げられ、さらにその上位層のプロトコルとして、例えば、ＨＴＴＰ（Hypertext Transfer Protocol）、ＳＭＴＰ（Simple Mail Transfer Protocol）、Ｔｅｌｎｅｔ、ＦＴＰ（File Transfer Protocol）、ＳＮＭＰ（Simple Network Management Protocol）などが挙げられる。
【００１７】
そして、アクセス情報には、ＩＰネットワーク上のリソースを特定するため、ＩＰ通信において通信のあて先を特定するために用いられるＩＰアドレスをはじめとする、種々のあて先情報が含まれていてもよい。すなわち、ＨＴＴＰにおける通信であればＵＲＬによるあて先の特定が行われ、Ｔｅｌｎｅｔにおける通信であれば、ホスト名とポート番号の組などによってあて先の特定が行われる。
【００１８】
例示的なＩＰネットワーク上のリソースとしては、ＨＴＴＰ通信においては、Ｗｅｂページなど情報であり、ＳＮＭＰ通信においては、ＭＩＢ（Management Information Base）に格納されている機器情報が挙げられる。
【００１９】
また、上記構成において、上記リソース決定手段によって決定されたリソースにアクセスし、上記リソースの内容を通信端末が備える表示部に表示するようにしてもよい。すなわち、ユーザに対し、ネットワーク上のリソースを用いて、多様な情報を伝える具体的な手段としては、上記通信端末の備える表示部に、上記多様な情報を表示することが挙げられる。
【００２０】
また、本発明に係る通信端末は、上記の構成において、さらに、上記アクセス情報はＵＲＬを含み、アクセスすべきリソースは、該ＵＲＬによって特定されるＷｅｂページであることを特徴としている。
【００２１】
すなわち、上記リソースはＷｅｂページであり、本発明に係る通信端末は、Ｗｅｂページのコンテンツを通じて多様な情報をユーザに提示することができる。
【００２２】
また、本発明に係る通信端末は、上記の構成において、さらに、Ｗｅｂページの表示内容をキャプチャするキャプチャ手段を備えることを特徴としている。
【００２３】
上記構成によれば、Ｗｅｂアクセスによって取得したＷｅｂページの表示内容をキャプチャすることができる。その結果、上記表示内容を、キャプチャ後に利用することができるので、その場限りでない多様な情報提供が可能となる。
【００２４】
また、上記構成において、上記通信先情報と関連付けて、上記キャプチャ手段によってキャプチャしたキャプチャ内容を記憶部に保存するようにしてもよい。これにより、例えば、通信端末の記憶部が、いわゆるアドレス帳機能を備える場合、上記記憶部に、親しい友人の電話番号等の連絡先に関連付けて、上記キャプチャ内容を保存する。また、上記キャプチャ内容に対して、任意の時に、通信先情報と関連付けてアクセスすることができ、上記キャプチャ内容を確認することができる。
【００２５】
また、上記構成において、上記キャプチャ手段によってキャプチャしたキャプチャ内容を、上記通信端末が備える表示部に表示するようにしてもよい。すなわち、上記キャプチャ内容を、ユーザに提供する具体的な手段としては、上記通信端末の備える表示部を介して表示する方法が挙げられる。この場合、さらに、キャプチャ内容を用いて、多様な情報提供をユーザに提示することが可能となる。また、一例として、データ通信時に上記キャプチャ内容を表示するようにしてもよい。
【００２６】
また、本発明に係る通信端末は、上記の構成において、さらに、上記記憶部が、上記通信先情報と対応付けて、Ｗｅｂページ上での上記通信先の属性を示す通信先属性情報を記憶していることを特徴としている。
【００２７】
上記構成によれば、Ｗｅｂページ上での上記通信先の属性を示す通信先属性情報が、通信先情報と対応づけられているので、特定の通信先との通信が行われた際、記憶部を参照してその通信先に対応する通信先属性情報を取得することで、その通信先のＷｅｂページ上での属性を把握することができる。
【００２８】
ここで、通信先属性情報とは、Ｗｅｂページがオンラインゲームであれば、そのオンラインゲーム上でユーザが使用するキャラクターに関する情報である。
【００２９】
このように通信先属性情報を取得することで、通信先のＷｅｂページ上での属性を把握し、通信先に関するより多彩な情報をユーザに提供することができる。
【００３０】
また、本発明に係る通信端末は、上記の構成において、さらに、上記通信先情報と対応付けて、Ｗｅｂブラウザを起動する指示となるブラウザ起動指示情報の送信対象となる機器を特定するためのブラウザ起動機器特定情報を記憶するものであり、上記リソース決定手段は、上記通信先検知手段により検知された通信先情報と対応付けて、上記ブラウザ起動機器特定情報を読み出すものであり、その読み出されたブラウザ起動機器特定情報により特定される機器に対して、上記ブラウザ起動指示情報および上記アクセス情報を送信するＷｅｂブラウザ起動指示手段を備えることを特徴とする。
【００３１】
上記構成によれば、Ｗｅｂブラウザを起動する指示となるブラウザ起動指示情報の送信対象となる機器を特定するためのブラウザ起動機器特定情報が、上記通信先情報と対応付けられており、また、上記リソース決定手段は、上記通信先検知手段により検知された通信先情報と対応付けて、上記ブラウザ起動機器特定情報を読み出すことができる。
【００３２】
また、Ｗｅｂブラウザ起動指示手段が、上記ブラウザ起動機器特定情報により特定される機器に対して、上記ブラウザ起動指示情報および上記アクセス情報を送信する。このことにより、自通信端末ではなく、上記特定される機器において、Ｗｅｂブラウザを起動し、アクセス情報によって指定されるアクセスするべきＷｅｂページにアクセスするよう指示することができる。
【００３３】
その結果、例えば、上記特定される機器がデスクトップＰＣであったときにおいては、該デスクトップＰＣに対してＷｅｂページ取得を指示するので、上記デスクトップＰＣに接続されているディスプレイにＷｅｂページ取得結果を提示することができる。これにより、周辺にＷｅｂブラウザ起動に関して好適な他機器が存在する場合は、上記他機器にＷｅｂページ取得の指示を行うことで、さらに好適なＷｅｂ閲覧環境を得ることができる。
【００３４】
また、本発明に係る通信端末は、上記の構成において、さらに、上記記憶部は、下記データ中継機器特定情報を、上記通信先情報と対応付けて記憶するものであり、上記データ中継機器特定情報は、自端末から発信されるデータを上記通信先に中継する指示となるデータ中継指示情報の送信対象となる機器を特定するための情報であり、上記リソース決定手段は、上記データ中継機器特定情報を、上記通信先検知手段により検知された通信先情報と対応付けて、上記記憶部から読み出し、さらに、その読み出されたデータ中継機器特定情報により特定される機器に対して、上記データ中継指示情報を送信するデータ中継指示手段を備えることを特徴とする。
【００３５】
上記構成によれば、さらにデータ中継指示手段が、上記データ中継機器特定情報により特定される機器に対して、データ発信の中継を行うよう指示し、上記機器に対してデータ発信を行う。
【００３６】
このことにより、上記特定される機器において、Ｗｅｂブラウザを起動し、アクセス情報によって指定されるアクセスするべきＷｅｂページにアクセスし、さらに、発信するデータを上記特定される機器において中継するよう指示する事ができる。
【００３７】
具体的な例では、上記特定される機器が表示装置に接続されたデスクトップＰＣであり、近距離無線通信機能とＩＰ電話機能を備えているものとする。さらに、自通信端末が発信するデータを音声通話データであるとし、通信先情報は電話番号であるとする。
【００３８】
この場合、自端末はＷｅｂブラウザを起動し、Ｗｅｂページにアクセスする指示を送信し、データの中継を行うように要求し、さらに、電話番号および音声通話データについては近距離無線通信機能を用いてデスクトップＰＣに送信する。その結果、デスクトップＰＣにおいて、Ｗｅｂブラウザが起動され、アクセスすべきＷｅｂページが取得され、さらに、ＩＰ電話機能を用いて電話番号が示す通信先との通信を確立し、音声通話データを中継する。また、表示装置においてはＷｅｂページの取得結果が表示装置に表示される。
【００３９】
その結果、多様な情報をＷｅｂページからユーザに伝えることができ、さらに、安定した通信環境を提供できる。例えば、通信端末が通信圏外であっても、デスクトップＰＣを経由しＩＰ電話網によって発信することができるので、ユーザにとってより一層の利便性を図ることができる。
【００４０】
なお、上記通信端末は、携帯可能な携帯通信端末によって実現されていてもよい。上記通信端末を携帯通信端末によって実現することで、外出先においても、他の通信端末とのデータ通信のとき、上記で示したような多彩な情報を提供することができる。
【００４１】
なお、上記通信端末における各手段を、通信端末制御プログラムによりコンピュータに実行させることができる。さらに、通信端末制御プログラムをコンピュータ読み取り可能な記録媒体に記憶させることにより、任意のコンピュータ上で上記通信端末制御プログラムを実行させることができる。
【発明の効果】
【００４２】
本発明に係る通信端末は、以上のように、リソース決定手段を備えているので、上記通信端末におけるデータ通信時に、ネットワーク上のリソースを用いた多様な情報提供が可能であり、ユーザに対してより一層の利便性を図ることができるという効果を奏する。
【発明を実施するための最良の形態】
【００４３】
本発明の実施の一形態について図１ないし図８に基づいて説明すれば、以下の通りである。本実施の形態においては、通信端末の一形態である携帯通信端末の形態を採用しており、さらに、その一例として、上記携帯通信端末が携帯電話機であった場合について以下に開示する。
【００４４】
まず、本実施形態に係る携帯電話機１３（通信端末）の構成について図１を用いて説明する。図１は携帯電話機１３の要部構成を示す図である。図示のように、携帯電話機１３は、制御部５０、記憶部５１（記憶部）、携帯電話用アンテナ部５２、携帯電話網通信部５３、音声処理部５４、音声入力部５５、音声出力部５６、データ処理部５７、操作部５８、表示部５９、報知部６０、近距離無線通信用アンテナ部６１、近距離無線通信部６２、カメラ部６３、振動センサー部６４、ＲＦＩＤリーダ部６５、ＧＰＳ（global  positioning  system）処理部６６、および映像信号処理部６９を備える構成である。
【００４５】
制御部５０は、携帯電話機１３内の各種構成を統括的に制御するものである。制御部５０の機能は、例えばＲＡＭやフラッシュメモリなどの記憶素子に記憶されたプログラムをＣＰＵが実行することによって実現される。なお、制御部５０の詳細については後述する。
【００４６】
記憶部５１は、各種データおよびプログラムを記憶するものである。記憶部５１の例としては、制御部５０が動作するときに必要なプログラムや、通信制御データなどの固定データを記憶する読出し専用の半導体メモリであるＲＯＭと、バーコード認識や通信に関するデータ、演算に使用するデータ、および演算結果などを一時的に記憶する、いわゆるワーキングメモリとしてのＲＡＭと、各種の設定データ、撮影画像データ、電子メールデータなどを記憶する書換え可能な不揮発性メモリ（例えばフラッシュメモリ）とが挙げられる。
【００４７】
また、本実施形態に係る記憶部５１は、表示部５９に表示可能な画像情報および動画情報と、データ通信の際、通信先を特定するための通信先情報を含むアドレス情報管理テーブルと、ＷＥＢブラウザ制御のために用いる設定である特殊グループ管理テーブル等を上記各種データの記憶領域に保持している。上記のアドレス情報管理テーブルと、特殊グループ管理テーブル等の詳しい内容については後述する。
【００４８】
また、本実施の形態においては、記憶部５１において、各種データは携帯電話機１３に搭載されているＯＳ（Operating  System）のファイルシステムによって管理されており、各種データにはファイル名が割り当てられているものとする。
【００４９】
携帯電話用アンテナ部５２は、電波を外部に送り出すとともに外部から電波を受け取るためのものである。具体的には、携帯電話用アンテナ部５２は、８００ＭＨｚ帯または１．５ＧＨｚ帯などの携帯電話機用電波を送受するためのものである。しかしながら、これに限られず、WCDMA／GSM（Wideband Code Division Multiple Access/Global System for Mobile Communications）規格における８５０ＭＨｚ、９００MHｚ、１８００MHｚおよび１９００MHｚなどの種々の周波数帯に対応可能なアンテナを採用することも可能である。
【００５０】
携帯電話網通信部５３は、音声処理部５４またはデータ処理部５７から受信したデータを、携帯電話網の基地局への無線送信に適した形式に変換し、変換した無線信号を携帯電話用アンテナ部５２を介して外部に送信するものである。また、携帯電話網通信部５３は、外部から携帯電話用アンテナ部５２を介して受信した無線信号を元の形式に変換し、変換したデータを音声処理部５４またはデータ処理部５７に送信するものである。具体的には、携帯電話網通信部５３では、チャネルコーデック処理、ベースバンド信号処理、データの変復調処理、ＲＦ（Radio  Frequency）処理などが行われる。
【００５１】
音声処理部５４は、音声入力部５５からの音声信号を所定の音声データに変換して携帯電話網通信部５３に送信するとともに、携帯電話網通信部５３からの音声データを音声信号に変換して音声出力部５６に送信するものである。具体的には、音声処理部５４は、Ａ／Ｄ変換器、Ｄ／Ａ変換器、アンプ、音声コーデック回路などを備える構成である。
【００５２】
音声入力部５５は、外部から入力された音波を、電気信号である音声信号に変換して音声処理部５４に送信するものである。具体的には、音声入力部５５はマイクロホンを備える構成である。
【００５３】
音声出力部５６は、音声処理部５４からの音声信号を音波に変換して外部に出力するものである。具体的には、音声出力部５６は、レシーバ、スピーカ、音声出力用コネクタなどを備える構成である。通常、携帯電話機１３では、通話を行う場合にはレシーバが利用され、着信の報知やテレビ電話を行う場合にはスピーカが利用される。また、音楽を聴く場合には、周囲の人々に配慮して、音声出力用コネクタにヘッドホンが接続される。
【００５４】
なお、電話機の場合、音声入力部５５に入力するユーザの音声が音声出力部５６から聞こえることが望ましい。このため、音声処理部５４は、音声入力部５５からの音声信号を所定の音量レベルに調整した後、音声出力部５６に送信することが望ましい。
【００５５】
データ処理部５７は、制御部５０からのデータを所定形式のデータに符号化して携帯電話網通信部５３に送信するとともに、携帯電話網通信部５３からのデータを復号化して制御部５０に送信するものである。データ処理部５７で行われるデータの符号化／復号化（コーデック）方式の例としては、ＭＰＥＧ（Moving  Picture  Experts  Group）−４、およびＩＴＵ−Ｔ勧告Ｈ．２６３が挙げられる。
【００５６】
操作部５８は、携帯電話機１３の表面に設けられた操作ボタンなどの入力デバイスをユーザが操作することにより、操作データを作成して制御部５０に送信するものである。入力デバイスとしては、ボタンスイッチの他にタッチパネルなどが挙げられる。
【００５７】
表示部５９は、制御部５０から画像データを受信し、受信した画像データに基づいて表示画面に画像を表示するものである。具体的には、表示部５９は、ＬＣＤ、ＰＤＰ（Plasma  Display  Panel）、ＥＬディスプレイなどの表示素子と、受信した画像データに基づいて表示素子を駆動するドライバ回路とを備える構成である。
【００５８】
報知部６０は、制御部５０からの指示に基づき、ユーザへの報知を行うものである。報知部６０が行う報知の例としては、偏心モータなどの振動素子を用いて携帯電話機１３を振動させたり、ＬＥＤ（light  emitting  diode）などの発光素子を用いて発光させたりすることが挙げられる。なお、報知部６０は、音声出力部５６または表示部５９で代用することもできる。
【００５９】
近距離無線通信用アンテナ部６１は、電波を外部に送り出すとともに外部から電波を受け取るためのものである。例えば、近距離無線通信としてブルートゥース（登録商標）を利用する場合、近距離無線通信用アンテナ部６１は、２．４５ＧＨｚ帯の電波を送受することになる。
【００６０】
近距離無線通信部６２は、制御部５０から受信したデータを近距離無線送信に適した形式に変換し、変換した無線信号を、近距離無線通信用アンテナ部６１を介して外部に送信するとともに、外部から近距離無線通信用アンテナ部６１を介して受信した無線信号を元の形式に変換し、変換したデータを制御部５０に送信するものである。具体的には、近距離無線通信部６２では、データの変復調処理、ＲＦ処理などが行われる。
【００６１】
カメラ部６３は、撮影部として機能するものであり、光学系６７及び撮像素子６８を備えている。また、上記カメラ部６３は、映像信号処理部６９を介し制御部５０と接続している。また、上記映像信号処理部６９は、カメラ部６３が撮影した画像の画像処理を行うものである。
【００６２】
振動センサー部６４は、携帯電話機１３が受けた振動を、時間ごとの信号の強さ（振動の強さ）である振動データとして検出するものである。つまり、この振動センサー６４は、携帯電話機１３が受ける変位を測定するものであり、時間変化における変位を測定するものである。また、上記振動センサー６４は、上記携帯電話機１３が受ける変位以外にも当該携帯電話機１３が受ける加速度の変化を測定するものであってもよい。
【００６３】
ＲＦＩＤリーダ部６５は、無線ＩＣチップであるＲＦＩＤ（Radio  Frequency  Identification）に書き込まれたデータを読み取るものである。
【００６４】
ＧＰＳ処理部６６は、携帯電話機１３の現在の位置情報を受信するものである。
【００６５】
（記憶部のデータ詳細・アドレス情報）
次に、本実施の形態における携帯電話機１３の記憶部５１に記憶されるデータについて図２を用いて説明する。同図は携帯電話機１３の記憶部５１に記憶されている、アドレス情報管理テーブルの一例である。
【００６６】
アドレス情報管理テーブルは、「名前」、「よみ」、「電話番号情報」、「ｅｍａｉｌアドレス情報」、「グループ」、「特殊グループ」、「画像」、「住所」、「ＧＰＳ情報」、「誕生日」、「星座」、「血液型」、「メモ」、「シークレット」、「着信、メール受信画面」、「ＷＥＢ着信、メール受信画面」、「着信音設定」、「ＷＥＢ  着信音設定」、「ＷＥＢアクセス情報」（アクセス情報）、「ブラウザ起動指示情報」、「画面キャプチャ設定」および「データ中継指示情報」の項目を含む。
【００６７】
また、アドレス情報管理テーブルは、上記項目の組を１件として、記憶部５１に複数件記憶することができる。本実施形態においては、アドレス情報管理テーブルの各件は、登録番号によって識別される。この登録番号は、例えば、「０００」から「９９９」までの値を設定割り当てられているため、記憶部５１には総計１０００件のアドレス情報管理テーブルを登録しておくことができる。
【００６８】
また、ユーザは操作部５８に対し所定の操作をすることで、表示部５９にアドレス情報管理テーブルの一覧を表示させることができる。本実施の形態において、この一覧表示の表示方法として、登録番号順に表示することができるものとする。また、一覧表示したアドレス情報管理テーブルは、操作部５８を介してユーザが選択することができ、その選択されたアドレス情報管理テーブルに関しては、以下に述べる各項目についての、詳細情報を表示部５９に表示可能であるとする。
【００６９】
それぞれの項目について、以下に具体的に説明する。「名前」は、当該アドレス情報管理テーブルについて関連している対象の名称を登録するための項目である。この「名前」の項目には、英数字、記号のみならず、漢字を登録しておくことができる。
【００７０】
なお、本実施の形態における、アドレス情報管理テーブルについて関連している対象としては、特定の人物であるか、連絡手段を有する施設である場合を想定している。例えば、「田中」という氏名の、特定の人物に関連した情報や、掛かり付けの「病院」に関連した情報である。
【００７１】
そして、「よみ」は、そのフリガナをカタカナで登録しておくことができる。同図においては、「名前」は「Ａ」が登録されており、「よみ」には「えい」が登録されている。なお、各アドレス情報管理テーブルに含まれる「よみ」を五十音順で一覧したアドレス情報管理テーブルの一覧表示が可能であるとする。
【００７２】
「電話番号情報」は、基本的にはいわゆる電話番号が登録される項目である。また、「電話番号情報」の項目には、例えば、最大３件まで電話番号を登録しておくことができる。同図の例によると、「１２３−４５６７−７８ｘｘ」と、「０５０−６７８９−０１ｘｘ」との２件が登録済みである。なお、この「電話番号情報」に登録できる電話番号としては、携帯電話の電話番号、固定電話の電話番号、ＩＰ電話の電話番号、ＰＨＳ（登録商標）の電話番号などが挙げられる。
【００７３】
「ｅｍａｉｌアドレス情報」は、電子メールアドレスを登録する項目である。また、「ｅｍａｉｌアドレス情報」の項目には、例えば、最大３件まで電子メールアドレスを登録しておくことができる。同図の例によると、「xxx@xxx.xx.xx」の１件が登録されている。
【００７４】
「グループ」は、上記アドレス情報管理テーブルのグルーピングに用いる情報を登録する項目である。「グループ」には、このグルーピングを有効にするか否かを示す「ＯＮ」、「ＯＦＦ」の値を格納することができ、「グループＩＤ」および「グループ名」にそのグルーピングに使用するための「グループ識別子」および「グループ名称」を指定することができる。
【００７５】
ここで、「グループ識別子」は、「０」から「１９」までの通し番号が割り当てられた識別子である。また、この「グループ識別子」に対応付けて、「グループ０」や「友人」といった任意の文字列からなる「グループ名称」を付加することができる。そのため、この「グループ識別子」の「グループ名称」に基づいて、アドレス情報管理テーブルを整理することができる。
【００７６】
そして、図示のように、「グループ識別子」の「０５」に対応する、「グループ名称」は「お店」であるとする。このとき、例えば、よく利用するお店に関するアドレス情報管理テーブルの「グループ識別子」および「グループ名」には、「０５」および「お店」という同じ「グループ識別子」および「グループ名称」を指定しておくといった使用法が考えられる。また、この「グループ識別子」の通し番号とアドレス情報管理テーブルの登録番号順によって、上記のアドレス一覧表示が可能であるとする。
【００７７】
そのため、上記のように設定しておくことで、アドレス情報管理テーブルを一覧表示させる際に、グループ別にアドレス情報管理テーブルを表示するといったことが可能であるので、「お店」のアドレス情報管理テーブルを迅速に検索することができる。なお、「グループ識別子」の設定は記憶部５１に記憶されているものとする。
【００７８】
「特殊グループ」は、他の通信端末とデータ通信するときに、起動するＷｅｂブラウザの動作設定や、アクセスすべきＷｅｂページの情報や、画面の表示方法についての設定を記憶する特殊グループ管理テーブルの設定内容を有効にするか否かの設定である。特殊グループ管理テーブルには、識別子である「特殊グループ登録名」が割り当てられており、記憶部５１において、複数個記憶しておくことができる。この特殊グループ管理テーブルについての詳しい説明は後述する。
【００７９】
この特殊グループが設定され有効な状態になっている場合、データ送受信時に、上記特殊グループ管理テーブルの設定内容に基づいて、ブラウザが起動する。ただし、この設定は、後述の「ＷＥＢアクセス情報」が設定されていた場合は、こちらのほうの設定が優先される。このブラウザ起動の詳細については後述する。
【００８０】
「特殊グループ」には、特殊グループ管理テーブルの設定内容を有効にするか否かを示す「ＯＮ」、「ＯＦＦ」の何れかの値を格納することができる。そして、その従属項目である「特殊グループ名」に何れの特殊グループ管理テーブルを使用するかを示す「特殊グループ登録名」を指定することができる。この、「特殊グループ登録名」は、後述する特殊グループ管理テーブルに結び付けられている。「特殊グループ名」には、「特殊グループ登録名」が指定できる。
【００８１】
「画像」は、記憶部５１に記憶されている画像情報あるいは動画情報を登録することのできる項目である。この、「画像」の項目によって指定される画像情報および動画情報は、ユーザがアドレス情報管理テーブルの対象を容易に識別できるようにする目的で指定する。そして、ユーザの所定の操作によって、アドレス情報管理テーブルの項目を表示部５９に表示するときに、この「画像」の項目に登録されている画像情報あるいは動画情報がともに表示される。また、「画像」の項目に指定する画像情報および動画情報を、カメラ部６３によって撮影することもできる。
【００８２】
「住所」は、当該アドレス情報管理テーブルについて関連している対象が所在している、あるいは、居住する住所情報を登録しておく項目である。
【００８３】
「ＧＰＳ情報」は、当該アドレス情報管理テーブルについて関連している対象についての、位置情報を登録しておく項目である。具体的には、「ＧＰＳ情報」は、ＧＰＳ処理部６６によって観測された現在位置や、電子地図の指定の地点等を登録しておくことができる。
【００８４】
「誕生日」、「星座」、「血液型」は、当該アドレス情報管理テーブルについて関連している対象の、それぞれ誕生日、星座、血液型を登録しておくための項目である。
【００８５】
「メモ」は、通信先に関連する覚書などの文字情報を登録しておくための項目である。「メモ」の項目には、上記以外の情報であって、当該アドレス情報管理テーブルについて関連している対象について、付随する情報を登録しておくことが望ましい。例えば、特定の人物に関するアドレス情報管理テーブルである場合、「背が高い」などといった属性情報を登録しておくことが想定される。
【００８６】
「シークレット」は当該アドレス情報管理テーブルを、上述したアドレス情報管理テーブルの一覧表示において、表示を許すか否かの設定する項目であり、上記一覧表示において表示することを示す「ＯＦＦ」、上記一覧表示において非表示とすることを示す「ＯＮ」の何れかを設定できる。ひとたび、「シークレット」の項目を「ＯＮ」に設定すると、上記アドレス情報管理テーブルの一覧表示において、該アドレス情報管理テーブルが表示されなくなるため、プライバシーの保護に効果がある。上記「シークレット」の設定は、操作部５８を介してユーザが解除可能である。すなわち、「シークレット」の項目が「ＯＮ」に設定されている場合、所定の操作により「ＯＦＦ」の設定に戻すことが可能であるとする。
【００８７】
「着信、メール受信画面」は、電話の着信およびメール受信といったデータの着信時に表示される、着信通知画面に表示する画像を指定する項目である。「着信、メール受信画面」の項目には、記憶部５１に記憶されている画像情報等が指定可能である。
【００８８】
「ＷＥＢ着信、メール受信画面」は、上記「着信、メール受信画面」と同様、データの着信時に表示される、着信通知画面に表示する画像を指定する項目である。ただし、この項目は、着信時にＷｅｂブラウザを起動すると判定された場合に有効になる。
【００８９】
そのため、本実施の形態においては、この項目には、携帯電話機１３の記憶部５１に記憶されている画像情報のファイル名を指定できる。同図においては、「webpicture1.jpg」が指定されている。また、表示させる画像情報等は、記憶部５１に記憶されているものではなく、ＷＥＢ上に保持されているものであってもよい。すなわち、画像情報のＷＥＢ上の格納場所であるＵＲＬなどの情報を含むＷｅｂアクセス情報を指定できる。
【００９０】
「着信音設定」は、電話の着信およびメール受信といったデータの着信時に表示される、着信通知画面が表示されている間に、再生する音声を指定する項目である。なお、「着信音設定」において指定される音声データについては、データ着信の際、音声出力部５６を介して音声出力が行われる。この「着信音設定」の項目には、記憶部５１に記憶されている音声情報等が指定可能である。同図において指定されているのは、「Chopin's  piano  works」である。
【００９１】
「ＷＥＢ着信音設定」は、上記「着信音設定」と同様、電話の着信およびメール受信といったデータの着信時に表示される、着信通知画面が表示されている間に、再生する音声を指定する項目である。ただし、「ＷＥＢ着信音設定」は、「特殊グループ」の項目に「ＯＮ」が設定されていた場合有効になる。なお、「ＷＥＢ着信音設定」において指定される音声データについては、データ着信の際、音声出力部５６を介して音声出力が行われる。「ＷＥＢ着信音設定」の項目には、記憶部５１に記憶されている音声情報等が指定可能である。同図において、指定されているのは、「Beethoven's  piano  works」である。
【００９２】
「ＷＥＢアクセス情報」は、ＷＥＢブラウザがアクセスすべきＷＥＢページを指定する項目である。より、具体的には、「ＷＥＢアクセス情報」には、「ＷＥＢアドレス」、「ＷＥＢ接続用ＩＤ」、「ＷＥＢ接続用ＰＡＳＳＷＯＲＤ」、「特定ＷＥＢアクセス用ＩＤ」、「特定ＷＥＢアクセス用ＰＡＳＳＷＯＲＤ」、「リクエストパラメータ」のより詳細な項目が含まれる。
【００９３】
「ＷＥＢアドレス」は、本実施の形態においては、データの送受信の際に、ＷＥＢブラウザがアクセスすべきＷＥＢページのＵＲＬを登録する項目である。
【００９４】
「ＷＥＢ接続用ＩＤ」は、上記「ＷＥＢアドレス」が認証を必要であるＷＥＢページであった場合に必要なユーザ識別情報を表す、いわゆるログインＩＤを登録する項目である。同図においては、「ＩＤ０１」が指定されている。
【００９５】
また、「ＷＥＢ接続用ＰＡＳＳＷＯＲＤ」は、上記ログインＩＤがＷＥＢページアクセスの際の認証に必要な、パスワードを登録する項目である。同図においては、「ＰＡＳＳＷＯＲＤ１」が指定されている。
【００９６】
「特定ＷＥＢアクセス用ＩＤ」は、上記「ＷＥＢ接続用ＩＤ」と同様、ログインＩＤであるが、上記「ＷＥＢアドレス」に対する認証を「ＷＥＢ接続用ＩＤ」、「ＷＥＢ接続用ＰＡＳＳＷＯＲＤ」によって行った後で、さらに、認証を必要とされるＷＥＢページにアクセスするときに用いられる。同図においては、「ＩＤ０２」が指定されている。
【００９７】
「特定ＷＥＢアクセス用ＰＡＳＳＷＯＲＤ」は、「特定ＷＥＢアクセス用ＩＤ」の認証時に使用されるパスワードである。同図においては、「ＰＡＳＳＷＯＲＤ２」が指定されている。
【００９８】
「リクエストパラメータ」は、アクセスすべきＷＥＢページであって、上記のＷＥＢアクセス情報の認証情報の他に、さらに特定のＷＥＢページにアクセスするために必要なパラメータを登録するための項目である。
【００９９】
本実施の形態においては、「リクエストパラメータ」において、ＷＥＢアクセスの際に、必要なセッションパラメータをはじめとする認証情報や、ＷＥＢアクセスの際に、ＷＥＢページを特定するためのクエリパラメータを登録するものと想定しているが、これに限られない。例えば、ＨＴＴＰにおける、状態オブジェクトであるＣｏｏｋｉｅ情報を保持するようにしてもよい。
【０１００】
「スピーカホン設定」は、電話によるデータの送受信の際に、自動的に画面を見ながら通話ができるように、音声の入出力の設定を変更するスピーカホン機能を使用するか否かを指定するための項目である。「スピーカホン設定」の項目には、スピーカホン機能を使用することを示す「ＯＮ」、使用しないことを示す「ＯＦＦ」の何れかの値を設定可能である。同図においては「ＯＦＦ」が設定されている。
【０１０１】
「ブラウザ起動指示情報」は、上記「特殊グループ」の項目に「ＯＮ」が設定されていた場合、通信先とのデータの送受信を契機に、上記「ＷＥＢアクセス情報」を携帯電話機１３以外の機器に転送するか否かを指定する項目である。より、具体的には、「ブラウザ起動指示情報」には、転送を実施する指定である「ＯＮ」か、転送を実施しない指定である「ＯＦＦ」を設定することができる。そして、「ブラウザ起動指示情報」に「ＯＮ」を設定しておくことで、「ブラウザ起動指示情報」に従属する「ブラウザ起動機器特定情報」の項目に指定される機器に上記「ＷＥＢアクセス情報」が転送される。
【０１０２】
この「ブラウザ起動機器特定情報」には、例えば、他の機器がＰＣであった場合は、ＩＰアドレスを設定することができる。本実施の形態においては、他の機器とは、近距離無線通信部６２を介して、Ｂｌｕｅｔｏｏｔｈのような無線通信規格を用いて通信を行うことを想定しているが、これに限られない。IEEE802.11に準拠した無線ＬＡＮや、ＵＷＢ（Ultra  Wide  Band）を用いてもよい。
【０１０３】
「画面キャプチャ設定」は、上記「特殊グループ」の項目に「ＯＮ」が設定されていた場合、ＷＥＢブラウザが取得したＷＥＢページのイメージ画像を取得するか否かを指定する項目である。「画面キャプチャ設定」の項目には、イメージ画像を取得する指定である「ＯＮ」と、取得しない指定である「ＯＦＦ」を設定することができる。
【０１０４】
「画面キャプチャ設定」の項目に、「ＯＮ」が指定されており、ＷＥＢアクセス時に、イメージ画像を取得する場合は、ＷＥＢブラウザが取得したＷＥＢページに基づいて生成された、画像情報を取得し、記憶部５１に記憶する。そして、画像情報を取得した後は、携帯電話機１３の利用の際に、記憶部５１を参照することで、取得した画像情報を表示部５９に表示することができる。
【０１０５】
「データ中継指示情報」は、携帯電話機１３が、通信先の電話番号に電話発信を行い、音声通話を行おうとする際に、自携帯電話機に替わって、携帯電話機１３の近距離無線通信範囲内に存在する特定の機器が電話発信し、上記機器を介して自携帯電話と、通信先とが通話する音声データ連携を実行するか否かを設定できる項目である。「データ中継指示情報」には、連携を行う「ＯＮ」、連携を行わない「ＯＦＦ」の何れかの値を設定できる。また、上記機器は「データ中継機器特定情報」に設定されている値よって特定される。「データ中継機器特定情報」には例えば、ＩＰ電話機能を備えた、音声通話連携可能なＰＣのＩＰアドレスなどが設定される。
【０１０６】
図２に示すアドレス情報管理テーブルにおいては、上記「ブラウザ起動指示情報」、「画面キャプチャ設定」および「データ中継指示情報」は「ＯＦＦ」に設定されている。上記の設定を「ＯＮ」にした場合の処理については後述する。
【０１０７】
（制御部詳細）
次に、携帯電話機１３における制御部５０の詳細について図１に基づいて説明する。
同図に示すように、携帯電話機１３の制御部５０は、通信先検知部７１（通信先検知手段）、Ｗｅｂページ決定部７２（リソース決定手段）、Ｗｅｂブラウザ制御部７３、画面キャプチャ部７４（キャプチャ手段）、Ｗｅｂブラウザ起動指示部７５（Ｗｅｂブラウザ起動指示手段）、データ中継指示部７６（データ中継指示手段）を備える構成である。
【０１０８】
通信先検知部７１は、携帯電話機１３がデータ通信を行う際の通信先を特定する通信先情報を検知するものである。すなわち、通信先検知部７１は、携帯電話機１３が通信先からデータ受信を行う際は、データ処理部５７から転送される復号化データを取得し、上記復号化データから、上記通信先を特定し通信先情報を取得する。
【０１０９】
一方、通信先検知部７１は、携帯電話機１３が通信先に対してデータ送信を行う際は、操作部５８から転送される操作データを取得し、上記操作データによって特定される通信先情報を検知する。
【０１１０】
本実施の形態に係る通信先検知部７１において、上記の通信先を特定するために行う処理の手順を具体的に説明する。まず、通信先の携帯電話等に割り当てられている電話番号またはｅｍａｉｌアドレスに対し、電話をかけたり、メールを送信したりしようとする場合は、ユーザが操作部５８に対し、所定の操作を行うことによって、携帯電話機１３は、表示部５９において、上述のようにアドレス情報管理テーブルを、一覧表示するよう指示する。
【０１１１】
そして、一覧表示されたアドレス情報管理テーブルから、これからデータ送信を行おうとしている通信先の電話番号情報またはｅｍａｉｌアドレス情報を記憶したアドレス情報管理テーブルを選択する。ここで、通信先検知部７１は、ユーザによって選択された、上記アドレス情報管理テーブルに含まれる電話番号情報またはｅｍａｉｌアドレス情報を通信先情報として検知する。通信先検知部７１は、通信先情報をＷｅｂページ決定部７２に送信する。
【０１１２】
Ｗｅｂページ決定部７２は、通信先検知部７１から転送された通信先情報に基づいて記憶部５１の特殊グループ管理テーブルあるいはアドレス情報管理テーブルを参照し、アクセスすべきＷｅｂページを決定するものである。すなわち、Ｗｅｂページ決定部７２は、通信先検知部７１から転送される通信先情報に対応付けて、記憶部５１を参照し、一致する通信先情報を含むアドレス情報管理テーブルを読み出す。
【０１１３】
そして、Ｗｅｂページ決定部７２は、読み出したアドレス情報管理テーブルに関してさらに、「特殊グループ」、「Ｗｅｂアクセス情報」、「ブラウザ起動指示情報」、「画面キャプチャ設定」、「データ中継指示情報」の項目を参照する。なお、本実施の形態においては、一致する通信先情報が複数件のアドレス情報管理テーブルに重複して登録されている場合、Ｗｅｂページ決定部７２は、アドレス情報管理テーブルの登録番号が小さい方を採用するものとする。
【０１１４】
なお、このとき「特殊グループ」の項目について「ＯＮ」が設定されていれば、Ｗｅｂページ決定部７２は、「特殊グループ名」の特殊グループ名に一致する「特殊グループ登録名」が設定されている特殊グループ管理テーブルを参照する。この詳しい動作については後述する。
【０１１５】
そして、Ｗｅｂページ決定部７２は、「Ｗｅｂアクセス情報」の設定内容を参照し、「ＷＥＢアドレス」の項目が設定されていれば、特定のＷＥＢページを起動すべき通信先とのデータ通信であると判定する。そして、Ｗｅｂページ決定部７２は「ブラウザ起動指示情報」を確認し「ＯＦＦ」が設定されていた場合、「Ｗｅｂアクセス情報」の設定内容をＷｅｂブラウザ制御部７３に転送し、「画面キャプチャ設定」を画面キャプチャ部７４に転送する。一方、ブラウザ起動指示情報に「ＯＮ」が設定されていた場合、Ｗｅｂページ決定部７２は、Ｗｅｂブラウザ起動指示部７５に、「Ｗｅｂアクセス情報」と「ブラウザ起動指示情報」を転送する。Ｗｅｂページ決定部７２は、さらに、ここで、「データ中継指示情報」を確認し「ＯＮ」が設定されていた場合、Ｗｅｂページ決定部７２は、データ中継指示部７６に「データ中継指示情報」を送信する。
【０１１６】
Ｗｅｂブラウザ制御部７３は、Ｗｅｂページ決定部７２から転送されるＷｅｂアクセス情報に基づいて、Ｗｅｂブラウザを起動し、Ｗｅｂページを取得するものである。Ｗｅｂブラウザ制御部７３は取得したＷｅｂページを表示部５９に表示するよう指示する。
【０１１７】
なお、Ｗｅｂブラウザ制御部７３は、Ｗｅｂページ決定部７２から転送されるＷｅｂアクセス情報によって特定されるＷｅｂページに含まれる全ての構成ファイルを取得しなくてもよい。すなわち、Ｗｅｂページを構成するファイル群の一部のみを取得するようにしてもよく、例えば、テキストデータを格納するファイルのみ取得するようにしてもよい。また、画像ファイルは取得しないようにしてもよい。このような構成よると、画像ファイルなど、送信時に通信ネットワークの負荷が大きいファイルは取得しないように設定し、簡略化したＷｅｂページ表示を行うことで、携帯電話機１３に最適なＷｅｂページ閲覧環境を提供できる。
【０１１８】
画面キャプチャ部７４は、Ｗｅｂページ決定部７２から転送される画面キャプチャ設定に基づいて、Ｗｅｂブラウザ制御部７３が取得したＷｅｂページを参照し、画面イメージを取得し、その画面イメージを画像情報として記憶部５１に保存するものである。また、本実施の形態において、画面キャプチャ部７４は、記憶部５１に保存した画面イメージのファイル名を、上記Ｗｅｂページ決定部７２が取得した、アドレス情報管理テーブルの「画像」あるいは「ＷＥＢ着信、メール受信画面」の設定に反映するものとする。
【０１１９】
例えば、画面キャプチャ部７４が新たに取得した画面イメージを、記憶部５１に「webpicture2.jpg」というファイル名で記憶した場合、さらに、画面キャプチャ部７４は、図２に示したアドレス管理情報テーブルの「ＷＥＢ着信、メール受信画面」の設定を、「webpicture2.jpg」と変更する。このため、携帯電話機１３は、他の通信機器とのデータ通信の際、画面キャプチャ部７４が取得した画面イメージのなかで、最新の画像情報を表示させることができる。
【０１２０】
Ｗｅｂブラウザ起動指示部７５は、Ｗｅｂページ決定部７２から転送されるＷｅｂアクセス情報とブラウザ起動指示情報に基づいて、他の機器においてブラウザを起動するよう指示するものである。具体的には、Ｗｅｂブラウザ起動指示部７５は、上記「ブラウザ起動指示情報」の「ブラウザ起動機器特定情報」によって転送先の機器を特定し、上記転送先の機器に、Ｗｅｂアクセス情報を転送し、上記転送先の機器に上記Ｗｅｂアクセス情報によって特定されるＷｅｂページにアクセスするよう指示する。
【０１２１】
このようにして、転送先の機器において、Ｗｅｂブラウザが起動され、Ｗｅｂアクセス情報に予って特定されるＷｅｂページにアクセスすることができる。なお、本実施形態においては、転送先の機器との通信は、近距離無線通信部６２を介して行われる。
【０１２２】
データ中継指示部７６は、Ｗｅｂページ決定部７２から転送される、通信先の電話番号情報と、データ中継指示情報に含まれるデータ中継機器特定情報に基づいて、上述の音声データ連携を行うものである。本実施形態においては、具体的には、データ中継指示部７６は、近距離無線通信部６２を介して上記データ中継機器特定情報によって特定される機器に、通信先の電話番号を送信し、通信先に電話発信するよう指示する。
【０１２３】
そして、上記機器と通信先との電話通信が確立した場合、携帯電話機１３側から、上記機器を経由して通信先に音声データを送信したり、通信先からの音声データを、上記機器を経由して受信したりできるように近距離無線通信部６２に指示をする。音声データ送信の際には、音声処理部５４が、音声入力部５５を通じて入力された音声信号を変換した音声データを転送するものとする。音声データ受信の際には、近距離無線通信部６２を介して取得した通信先からの音声データを、音声処理部５４が音声信号に変換し、音声出力部５６において音声を再生する。
【０１２４】
（オンラインショッピングサービス）
ここで、携帯電話機１３のユーザが携帯電話機向けのオンラインショッピングサービス利用している場合についての、本発明に係る携帯電話機１３の適用例について説明する。
【０１２５】
本実施例において、携帯電話機向けのオンラインショッピングサービスとは、携帯電話機からアクセス可能なＷＥＢ上において商品提供サービスを提供するものであって、上記サービス提供側がサービス提供のためのサーバ装置を有し、ユーザが当該サーバ装置に携帯電話機のＷＥＢブラウザから、上記サービスを提供するＷＥＢページにアクセスし、ＷＥＢ上で商品の購入等を決定するサービスのことを言う。
【０１２６】
さらに、一般的に、上記のオンラインショッピングサービスにおいては、サービスを利用する際、ログインＩＤおよびパスワード等の認証を要求するサービスがほとんどである。上記認証の仕組みについては、主に、セキュリティの確保と、ユーザの識別といった目的で導入されている。
【０１２７】
そして、上記認証を要求するサービスにおいては、ユーザの商品購入情報を個別に管理し、さらに、購入商品の発送状況等の情報をユーザ毎に管理し、ユーザに対して上記発送状況等の情報を提供している場合もある。例えば、ユーザは自身のログインＩＤおよびパスワード等によって上記サービスにおいて認証を受け、その後、ユーザのログインＩＤに割り当てられた特定のＷＥＢページ（以下、パーソナルページ）に携帯電話機のＷＥＢブラウザからアクセスすることによって、上記の情報提供を受けることができる。ここで、パーソナルページには、ユーザが過去に購入した商品の「商品名」、「数量」、「購入日時」、「金額」、「支払い状況」、「配送状況」等の情報が掲載されているものとする。
【０１２８】
また、上記発送状況等の情報において変化があったとき、その旨を携帯電話機の電子メールアドレスにメール送信し、配送状況の通知を行っている場合もある。例えば、上記通知において、ユーザは購入商品が「配送準備中」だったものが、「配送手配済み」となり、在庫から商品が確保され、実際にユーザの指定した配送先に商品が配送中であるという状況を知ることができる。ここで、上記の配信状況通知メールには、ユーザが購入した商品の「商品名」と上述した「配送状況」のみが記載されているものとする。
【０１２９】
（オンラインショッピングサービスにおける処理の流れ）
次に、携帯電話機１３の処理の流れについて図３を用いて説明する。同図は携帯電話機１３のユーザが上述のオンラインショッピングサービスを利用しており、上記オンラインショッピングサービスにおいて商品を購入し、上記発送状況等の通知メールを携帯電話機において受信した場合の手順を説明した処理フローである。
【０１３０】
なお、この例においては、「特殊グループ」の設定については設定されていない場合の処理について説明する。図２に示した、アドレス情報管理テーブルに関連した通信先から、電子メールを着信した場合について説明する。
【０１３１】
まず、Ｓ１１において、携帯電話機１３が、通信先であるオンラインショッピングサービスを提供するサーバ装置から、上記配送状況等の通知メールを受信する。ここで、通信先検知部７１は上記通知メールの通信先情報を検知する。ここで、オンラインショッピングサービスから送信される通知メールが「xxx@xxx.xx.xx」であったとする。このとき、Ｗｅｂページ決定部７２は、上記通信先情報によって特定される送信元メールアドレス（通信先情報）と対応付けて、記憶部５１に記憶されているアドレス情報管理テーブルの中から、ｅｍａｉｌアドレス情報に上記送信元メールアドレス（通信先情報）である「xxx@xxx.xx.xx」と一致するｅｍａｉｌアドレスの項目が存在するアドレス情報管理テーブルを検索する。
【０１３２】
そして、図２に示すアドレス情報管理テーブルを検出し、さらに、特定のＷＥＢアドレスにアクセスすべきか否かを判定する（Ｓ１２）。具体的には、検出されたアドレス情報管理テーブルに関して、「ＷＥＢアクセス情報」の「ＷＥＢアドレス」の項目に「www.○○○.co.jp/aaa/bbb/ccc」というＵＲＬが設定されているため、上記送信元メールアドレスからのメール受信に対応して、上記ＵＲＬの示すＷｅｂページを取得するべきであると判断する（Ｓ１２においてＹＥＳ）。ここで、「www.○○○.co.jp/aaa/bbb/ccc」は、上記オンラインショッピングサービスが、サービスを提供しているＷｅｂページであるとする。また、「ＷＥＢ接続用ＩＤ」、「ＷＥＢ接続用ＰＡＳＳＷＯＲＤ」、「特定ＷＥＢアクセス用ＩＤ」、「特定ＷＥＢアクセス用ＰＡＳＳＷＯＲＤ」、「リクエストパラメータ」の項目については、上記パーソナルページにアクセスするための設定であるとする。
【０１３３】
そして、Ｓ１３において、Ｗｅｂページ決定部７２がＷｅｂアクセス情報に基づいてアクセスするべきＷｅｂページを決定し、Ｗｅｂブラウザ制御部７３が、Ｗｅｂブラウザを起動し、ＵＲＬ「www.○○○.co.jp/aaa/bbb/ccc」が示すＷｅｂページにアクセスするよう指示する。このとき、上記Ｗｅｂページが要求する認証情報として、「ＷＥＢ接続用ＩＤ」、「ＷＥＢ接続用ＰＡＳＳＷＯＲＤ」、「特定ＷＥＢアクセス用ＩＤ」、「特定ＷＥＢアクセス用ＰＡＳＳＷＯＲＤ」、「リクエストパラメータ」を用いる。そして、ブラウザ制御部７３がＷｅｂページを取得した後、処理は終了する。
【０１３４】
一方、Ｓ１２において、「ＷＥＢアクセス情報」の「ＷＥＢアドレス」にＵＲＬが設定されおらず、Ｗｅｂページを取得すべきでないと判断した場合（Ｓ１２においてＮＯ）は、従来の通常のメール受信を行い（Ｓ１４）、その後、処理は終了する。
【０１３５】
上記のような、データをアドレス情報管理テーブルとして登録しておくことで、ショッピングサイトからの配送状況通知メール受信時に、携帯電話機１３においてＷｅｂブラウザが起動し、上記ショッピングサイトのパーソナルページにアクセスすることが可能である。このため、ユーザは、上記配送状況通知メール受信時に、メールの情報だけでなく、パーソナルページの配送状況に関する詳細な情報を参照することができ、最近購入した商品に関する情報や、支払い状況や、配送状況について同時に知ることができる。また、パーソナルページには、アドレス情報管理テーブルのＷｅｂアクセス情報に予め登録されている情報に基づいてアクセスすることが可能である。そのため、携帯電話機１３が、上記のように配送状況通知メールを受信し、パーソナルページへのＷｅｂアクセスする場合において、ユーザはログインＩＤやパスワードといった認証項目を入力する必要がない。その結果、ユーザに対しより一層の利便性を図ることができる。
【０１３６】
（オンラインゲームサービス）
次に、携帯電話機のＷＥＢブラウザからアクセス可能な、オンラインゲームサービスについて、本発明に係る携帯電話機１３の適用する場合の例を説明する。
【０１３７】
ここで、オンラインゲームサービスについて図４を参照しながら説明する。同図は、オンラインゲームを利用する形態を表す概略図である。一般的に、オンラインゲームサービスは、サービス提供者がサービス提供のための、サーバ装置を有し、ユーザがサービス利用のために必要な、ログインＩＤはじめとする認証情報の発行を受け付けている。上記のようなオンラインゲームサービスは、サービスによっては、利用に際してユーザに料金を課金するものもある。そして、ユーザが、ログインＩＤといった認証ＩＤを、上記サービスにおいて登録することで、通信ネットワークを介して、サービスの提供するゲームに参加できるようになるサービスのことをいう。
【０１３８】
そして、図４の（ａ）および（ｂ）に示すように、ユーザはゲームに参加し、個人でゲームを楽しむのみならず、他の参加者と協力してゲームを進行したり、他の参加者等とのコミュニケーションも同時に楽しんだりすることができ、このような参加者同士のコミュニケーションがオンラインゲームサービスの醍醐味ともなっている。オンラインゲームサービスで知り合った参加者同士が、オンラインゲームサービス上だけでなく、現実の生活においても、お互いに会ったり、連絡を取り合ったりするという人間関係を形成することも多い。
【０１３９】
また、サービス提供のシステム形態としては、図４の（ｂ）に示すように、ＰＣにサービスを受けるための専用のソフトウェアをインストールし、そのソフトウェアを起動し、インターネットに接続することで、サービス提供サーバにアクセスするという形態が多く見られる。図４の（ｂ）に示すように、ユーザはオンラインゲームサービス上のキャラクター２１を操作し、他のユーザのキャラクター２２と、コミュニケーションし協力してゲームを進めることができる。
【０１４０】
さらに、近年においては、図４の（ａ）に示すように、携帯電話機にサービス利用のためのソフトウェアをインストールし、携帯電話機の通信機能を通じて利用可能なサービスも登場しており、携帯電話から気軽にサービスを利用できるようになってきている。図４の（ａ）に示すように、ユーザは携帯電話機の通信機能を通じて、オンラインゲームサービスに参加し、キャラクター２１を操作することができる。また、多人数が参加するオンラインゲームサービスにおいては、ユーザは、他のキャラクター２２とコミュニケーションしながらゲームを進めることもできるようになってきている。
【０１４１】
また、オンラインゲームサービスの中には、専用のソフトウェアをインストールすることなく、Ｗｅｂブラウザからアクセス可能なものも登場してきている。代表的なものとしては、米国のリンデン・ラボ社がサービスを提供している「セカンド・ライフ（登録商標）」が挙げられる。上記のサービスにおいては、ユーザが操作可能な、オンラインゲームサービス上のキャラクターのことを「アバター」と呼び、この「アバター」の外見を自由に変更することができる。例えば、自分の姿とそっくりな外見をもつ「アバター」を作成可能である。そのため、ゲームに対し深い没入感を得ることができ人気を博している。
【０１４２】
以下においては、上記のようなオンラインゲームサービスに関連した、本発明に係る携帯電話機１３の適用例を開示する。
【０１４３】
まず、携帯電話機１３の記憶部５１に記憶されるアドレス情報管理テーブルについて、図５を用いて説明する。図５は図２に示したようなアドレス情報管理テーブルとは、さらに別のアドレス情報管理テーブルである。
【０１４４】
図２に示すアドレス情報管理テーブルとの設定内容に差異のある項目は、「名前」、「よみ」、「電話番号情報」、「ｅｍａｉｌアドレス情報」、「グループ」、「特殊グループ」、「ＷＥＢアクセス情報」、「スピーカホン設定」、「ブラウザ起動指示情報」、「画面キャプチャ設定」、および「データ中継指示情報」である。
【０１４５】
（オンラインゲームサービスに適用されるアドレス情報管理テーブル、特殊グループ管理テーブル）
図５に示すアドレス情報管理テーブルは、「名前」に「Ｂ」、「よみ」に「びい」、「電話番号情報」の電話番号１に「０５０−１３５７−１２ｘｘ」、「ｅｍａｉｌアドレス情報」のＥメールアドレス１に「ｏｎｌｉｎｅ＠＊＊＊．ｎｅ．ｊｐ」、「グループ」のグループＩＤに「０１」、グループ名に「友人」、「特殊グループ」は「ＯＮ」で、「特殊グループ名」には「ＷＥＢ家族」、が設定されており「ＷＥＢアクセス情報」、「スピーカホン設定」、「ブラウザ起動指示情報」、「画面キャプチャ設定」、および「データ中継指示情報」は何も設定されていない。
【０１４６】
次に、携帯電話機１３の記憶部５１に記憶される特殊グループ管理テーブルについて、図６および図７を用いて説明する。図６は特殊グループを管理するための特殊グループ管理テーブルの設定例を示す図である。
【０１４７】
特殊グループ管理テーブルは、特殊グループごとに、ＷＥＢブラウザの起動等に関連する設定を規定するものである。各特殊グループに対し、それぞれ１つの特殊グループ管理テーブルが対応する。
【０１４８】
同図によると、特殊グループ管理テーブルは、「特殊グループ登録名」、「ＷＥＢ立ち上げ設定」、「対象」、「表示方法」、「ＷＥＢアクセス情報」、「スピーカホン設定」、「ブラウザ起動指示情報」、「画面キャプチャ設定」、および「データ中継指示情報」の項目を含む。
【０１４９】
「特殊グループ登録名」は、上記アドレス情報管理テーブルの「特殊グループ名」の項目において設定される特殊グループの名称を規定するものである。図６においては、「ＷＥＢ家族」が設定されている。
【０１５０】
「ＷＥＢ立ち上げ設定」は、上記「特殊グループ登録名」をもつ特殊グループの特殊グループ管理テーブルを有効とするか否かを示すものである。「ＷＥＢ立ち上げ設定」には、特殊グループ管理テーブルが有効であることを示す「ＯＮ」、あるいは無効であることを示す「ＯＦＦ」の何れかの値を設定できる。
【０１５１】
「対象」は、さらに従属項目として、「電話番号設定」、「電話番号」、「メールアドレス設定」、「メールアドレス」、「その他の通信」のを含む。
【０１５２】
「電話番号設定」は、以下に説明する「電話番号」という従属する項目に設定される設定内容が有効であるか否かを示すものである。「電話番号設定」には、「電話番号設定」が有効であることを示す「ＯＮ」、あるいは無効であることを示す「ＯＦＦ」の何れかの値を設定できる。
【０１５３】
「電話番号」は、複数の電話番号を設定できる項目であって、上記特殊グループに所属する電話番号を設定できる項目である。「電話番号」には、「０９０−１２３４―１２ｘｘ」、「０６０−２４６８−１２ｘｘ」、「０５０―１３５７−１２ｘｘ」の３つの電話番号が設定されており、これらは特殊グループ「ＷＥＢ家族」に所属することを示している。
【０１５４】
「メールアドレス設定」は、以下に説明する「メールアドレス」という従属する項目に設定される設定内容が有効であるか否かを示すものである。「メールアドレス設定」には、「メールアドレス設定」が有効であることを示す「ＯＮ」、あるいは無効であることを示す「ＯＦＦ」の何れかの値を設定できる。
【０１５５】
「メールアドレス」は、複数のｅｍａｉｌアドレスを設定できる項目であって、上記特殊グループに所属するｅｍａｉｌアドレスを設定できる項目である。
【０１５６】
「メールアドレス」には、「ｏｎｌｉｎｅ＠＊＊＊．ｎｅ．ｊｐ」が設定され取り、このｅｍａｉｌアドレスが特殊グループ「ＷＥＢ家族」に所属することを示している。
【０１５７】
「その他通信」は、上記の電話、電子メール以外の通信方法によってデータ通信が行われた場合の通信先識別情報を格納するものである。
【０１５８】
「表示方法」は、データ通信時の表示部５９におけるＷＥＢブラウザの画面表示方法を設定するものであり、さらに「全画面」、「２画面」、「表示するプロフィール画面」という従属する項目を含む。
【０１５９】
「全画面」は、表示部５９の表示領域全域を使用する設定である。全画面表示を行う「ＯＮ」、全画面表示を行わない「ＯＦＦ」の何れかの値を設定することができる。
【０１６０】
「２画面」は、表示部５９の表示領域を長辺の中央部分において長辺方向に対し垂直に分割し、仮想的な２つの表示領域を得る設定である。「２画面」の項目には、以下の何れかの設定が可能である。
【０１６１】
まず、「ＯＦＦ」は２画面の表示をしない設定である。
【０１６２】
次に、２画面の表示をする設定について説明する。まず、「ＯＮ  １」は、一方の画面にＷＥＢブラウザの画面を表示し、他方の画面に待ち受け画面を表示する設定である。
【０１６３】
そして、一方の画面にＷＥＢブラウザの画面を表示し、他方の画面に直前の画面を表示する「ＯＮ  ２」、一方の画面にＷＥＢブラウザの画面を表示し、他方の画面に電子メールの確認画面を表示する「ＯＮ  ３」という設定がある。
【０１６４】
また、「ＯＮ  ４」は、一方の画面にＷＥＢブラウザの画面を表示し、他方の画面にアドレス情報管理テーブルの項目を、通信先のプロフィールとして画面に表示する設定である。
【０１６５】
最後に、「ＯＮ  ５」は詳細にユーザが画面表示設定をカスタマイズできる設定である。
【０１６６】
なお、本実施の形態において、「２画面」の「ＯＮ  １」〜「ＯＮ  ５」の設定において、表示領域の長辺方向に対して、垂直に分割するとしたが、短辺方向に対して、垂直に分割するようにしてもよい。また、ＷＥＢ「ＯＮ  １」〜「ＯＮ  ５」の設定は、上記「全画面」の「ＯＮ」設定とは同時に設定できない。
【０１６７】
「表示するプロフィール画面」は、表示部５９にアドレス情報管理テーブルを表示するか否かの設定である。「表示するプロフィール画面」には、上記「２画面」の設定において「ＯＮ  ４」を設定した場合に、設定することができる。上記「対象」に該当する通信先のアドレス情報管理テーブルを表示する場合の「ＯＮ  １」、上記「対象」において、ＩＰ電話として登録されている電話番号に該当する対象のみ表示する場合の「ＯＮ  ２」、アドレス情報管理テーブルを表示しない場合の「ＯＦＦ」のうち何れかの値を設定できる。
【０１６８】
また、「表示するプロフィール画面」には、それぞれ「全画面」、「２画面」、「表示するプロフィール画面」に「ＯＦＦ」、「ＯＮ  ３」、「ＯＮ  １」が設定されている。なお、上記の「２画面」の項目の設定においては、携帯電話機１３の記憶部５１に記憶されている、画像情報や、動画情報といった各種コンテンツを表示させてもよい。
【０１６９】
図６における、「ＷＥＢアクセス情報」（Ｗｅｂアクセス情報）、「スピーカホン設定」、「ブラウザ起動指示情報」、「画面キャプチャ設定」、「データ中継指示情報」の項目に設定できる内容については、アドレス情報管理テーブルの対応する項目と同様であるので説明を省略する。
【０１７０】
「ＷＥＢアクセス情報」の「ＷＥＢアドレス」には、「www.○○○.co.jp/aaa/bbb/ccc」、「ＷＥＢ接続用ＩＤ」には「ＩＤ０３」、「ＷＥＢ接続用ＰＡＳＳＷＯＲＤ」には「ＰＡＳＳＷＯＲＤ３」、「特定ＷＥＢアクセス用ＩＤ」には「ＩＤ０４」、「特定ＷＥＢアクセス用ＰＡＳＳＷＯＲＤ」には「ＰＡＳＳＷＯＲＤ４」、「リクエストパラメータ」として「ｘｘｘｘｘｘｘ」が設定されている。
【０１７１】
また、「スピーカホン設定」には「ＯＮ」、「ブラウザ起動指示情報」は「ＯＮ」が設定されており、「ブラウザ起動機器特定情報」として、「ＩＰ：ｘｘｘ．ｘｘｘ．ｘｘｘ．ｘｘｘ」、「画面キャプチャ設定」には、「ＯＮ」、「データ中継指示情報」は、「ＯＮ」が設定されており、「データ中継機器特定情報」として、「ＩＰ：ｘｘｘ．ｘｘｘ．ｘｘｘ．ｘｘｘ」、がそれぞれ設定されている。
【０１７２】
次に、特殊グループ管理テーブルのさらに別の設定例について図７を参照しながら説明する。同図は特殊グループ管理テーブルの設定の一例を示す図である。同図において、「特殊グループ登録名」には「ネットショップ」、「ＷＥＢ立ち上げ設定」には「ＯＮ」、「対象」には、「電話番号設定」として「ＯＮ」、「電話番号」として「０９０−５６７８−１２ｘｘ」、「０６０−０２４６−１２ｘｘ」、「メールアドレス設定」として「ＯＮ」、「メールアドレス」として「ｇａｍｉｎｇ＠＊＊＊．ｃｏｍ」が設定されている。また、「表示方法」には、「全画面」として「ＯＦＦ」、「２画面」として「ＯＮ  ５」、「表示するプロフィール」として「ＯＮ  １」が設定されている。
【０１７３】
また、「ＷＥＢアクセス情報」には、「ＷＥＢアドレス」として「www.○○○.com/aaa/bbb/ccc」、「ＷＥＢ接続用ＩＤ」には「ＩＤ０５」、「ＷＥＢ接続用ＰＡＳＳＷＯＲＤ」には「ＰＡＳＳＷＯＲＤ５」、「特定ＷＥＢアクセス用ＩＤ」には、「ＩＤ０６」、「特定ＷＥＢアクセス用ＰＡＳＳＷＯＲＤ」には「ＰＡＳＳＷＯＲＤ６」、「リクエストパラメータ」として「ｘｘｘｘｘｘｘ」が設定されている。
【０１７４】
また、「スピーカホン設定」には「ＯＦＦ」、「ブラウザ起動指示情報」は「ＯＦＦ」が設定されており、「画面キャプチャ設定」には、「ＯＦＦ」、「データ中継指示情報」は、「ＯＦＦ」がそれぞれ設定されている。
【０１７５】
（特殊グループ管理テーブルが設定されている場合のＷｅｂページ決定部７２の動作）
ここで、上記のような特殊グループ管理テーブルが設定されていた場合の、Ｗｅｂページ決定部７２の動作について詳しく説明する。Ｗｅｂページ決定部７２は、特殊グループ管理テーブルが設定されている場合は、通信先検知部７１から転送される通信先情報に対応付けて、記憶部５１を参照し、一致する通信先情報を含むアドレス情報管理テーブルを検知する。そして、上記アドレス情報管理テーブルに関してさらに、「特殊グループ」、「Ｗｅｂアクセス情報」、「ブラウザ起動指示情報」、「画面キャプチャ設定」、「データ中継指示情報」の項目を読み出す。
【０１７６】
そして、このとき「特殊グループ」の項目について「ＯＮ」が設定されていれば、Ｗｅｂページ決定部７２は、「特殊グループ名」に対応する特殊グループ管理テーブルをさらに参照する。
【０１７７】
そして、Ｗｅｂページ決定部７２は、「Ｗｅｂアクセス情報」、「ブラウザ起動指示情報」、「画面キャプチャ設定」、「データ中継指示情報」の項目について、アドレス情報管理テーブルに設定がなかった場合は、特殊グループ管理テーブルにおける対応する項目を読み出し、これに読み替える。
【０１７８】
例えば、アドレス情報管理テーブルにおいて「Ｗｅｂアクセス情報」の設定がなかった場合、特殊グループ管理テーブルを参照し、特殊グループ管理テーブルの「Ｗｅｂアクセス情報」を採用する。なお、ここで、アドレス情報管理テーブルにも、特殊グループ管理テーブルにも上記の項目について設定がなかった場合、いわゆるデフォルトの動作設定をするためのテーブルを記憶部５１に設け、Ｗｅｂページ決定部７２が参照できるようにしてもよい。
【０１７９】
そして、Ｗｅｂページ決定部７２は、アドレス情報管理テーブルあるいは特殊グループ管理テーブルの「Ｗｅｂアクセス情報」の設定内容を参照し、「ＷＥＢアドレス」が設定されていれば、特定のＷＥＢページを起動すべき通信先とのデータ通信であると判定する。
【０１８０】
そして、Ｗｅｂページ決定部７２は、アドレス情報管理テーブルあるいは特殊グループ管理テーブルの「ブラウザ起動指示情報」を確認し「ＯＦＦ」が設定されていた場合、アドレス情報管理テーブルあるいは特殊グループ管理テーブルの「Ｗｅｂアクセス情報」の設定内容をＷｅｂブラウザ制御部７３に転送し、アドレス情報管理テーブルあるいは特殊グループ管理テーブルの「画面キャプチャ設定」を画面キャプチャ部７４に転送する。
【０１８１】
一方、ブラウザ起動指示情報に「ＯＮ」が設定されていた場合、Ｗｅｂページ決定部７２は、アドレス情報管理テーブルあるいは特殊グループ管理テーブルの「Ｗｅｂアクセス情報」と「ブラウザ起動指示情報」をＷｅｂブラウザ起動指示部７５に転送する。さらに、ここで、アドレス情報管理テーブルあるいは特殊グループ管理テーブルの「データ中継指示情報」を確認し「ＯＮ」が設定されていた場合、Ｗｅｂページ決定部７２は、データ中継指示部７６にデータ中継指示情報を送信する。
【０１８２】
ここで、「特殊グループ」の項目について「ＯＦＦ」が設定されていた場合の、Ｗｅｂページ決定部７２の動作についてさらに説明する。この場合、Ｗｅｂページ決定部７２は、通信先検知部７１から転送される通信先情報に一致する「対象」の設定がないか、各特殊グループ管理テーブルから検索する。そして、Ｗｅｂページ決定部７２は、一致する「対象」を含む特殊グループ管理テーブルが存在した場合、該特殊グループ管理テーブルから、「Ｗｅｂアクセス情報」、「ブラウザ起動指示情報」、「画面キャプチャ設定」、「データ中継指示情報」の項目を読み出す。
【０１８３】
例えば、電話番号が「０９０−１２３４−１２ｘｘ」である通信先から電話着信する場合、図６に示す特殊グループ管理テーブルの「電話番号」には「０９０−１２３４−１２ｘｘ」が設定されているため、Ｗｅｂページ決定部７２はこの特殊グループ管理テーブルの「Ｗｅｂアクセス情報」、「ブラウザ起動指示情報」、「画面キャプチャ設定」、「データ中継指示情報」の項目を読み出す。
【０１８４】
上記のようにして、読み出された項目は、上述したようにアドレス情報管理テーブルの対応する項目に設定がなかった場合の読み替えに使用される。
【０１８５】
（オンラインゲームにおける処理の流れ）
次に、携帯電話機１３の処理の流れについて図８を用いて説明する。図８は、携帯電話機１３に対して、他の携帯電話機から電話を着信あるいは発信する場合の携帯電話機１３の処理手順について説明した動作フローである。以下においては、まず着信の場合について説明する。
【０１８６】
まず、携帯電話機１３が他の携帯電話機から電話通信を着信する（Ｓ２１）。そして、Ｗｅｂページ決定部７２が、他の携帯電話の電話番号（通信先情報）に対応するアドレス情報管理テーブルあるいは対応する特殊グループ管理テーブルの「ＷＥＢアクセス情報」の「ＷＥＢアドレス」の項目を参照し、この項目に値が設定されていない場合は（Ｓ２２においてＮＯ）、携帯電話機１３は通常の着信動作を行い（Ｓ２４）、その後、処理は終了する。
【０１８７】
一方で、上記「ＷＥＢアドレス情報」に値が設定されていた場合（Ｓ２２においてＹＥＳ）はさらに、Ｗｅｂページ決定部７２が、電話番号（通信先情報）に対応するアドレス情報管理テーブルあるいは対応する特殊グループ管理テーブルの「ブラウザ起動指示情報」を参照し、「ブラウザ起動機器特定情報」が設定されているかどうかを判定する。
【０１８８】
ここで、上記「ブラウザ起動指示情報」にブラウザを起動する機器が設定されていた場合（Ｓ２３においてＹＥＳ）、Ｗｅｂブラウザ起動指示部７５が、上記「ブラウザ起動指示情報」の「ブラウザ起動機器特定情報」によって特定される機器と接続が確立されていることを確認し、近距離無線通信によって連携が可能である場合（Ｓ２５においてＹＥＳ）は、指定された機器においてＷＥＢブラウザを起動するよう指示する（Ｓ２６）。
【０１８９】
一方で、上記「ブラウザ起動指示情報」において、「ブラウザ起動機器特定情報」が設定されていたにもかかわらず（Ｓ２３においてＹＥＳ）、特定された機器と連携が不可能であると判断された場合（Ｓ２５においてＮＯ）は、携帯電話機１３は通常の着信を行い、その後、処理は終了する。
【０１９０】
また、上記「ブラウザ起動指示情報」において、「ブラウザ起動機器特定情報」が設定されていなかった場合（Ｓ２３においてＮＯ）には、ブラウザ制御部７３が、所定の設定に基づいて、アクセスすべきＷＥＢページにアクセスする（Ｓ２７）。ここで、「スピーカホン設定」において「ＯＮ」が設定されていた場合（Ｓ２８においてＹＥＳ）、携帯電話機１３は、ユーザが画面を見ながら通話が可能なように、音声の入出力を調整する（Ｓ２９）。一方、「スピーカホン設定」が「ＯＦＦ」である場合は、処理は終了する。
【０１９１】
なお、Ｓ２６およびＳ２７において、「画面キャプチャ設定」が「ＯＮ」であれば、画面キャプチャ部７４がＷｅｂページのイメージ画像を取得する。上記のような設定にしておけば、イメージ画像を常に最新のものに更新することができる。
【０１９２】
上記の処理の流れを、次のような状況に適用した場合について説明する。すなわち、ユーザＡの携帯電話機１３において、ユーザＢの他の携帯電話機からの電話を着信する状況について説明する。ユーザＡとユーザＢは、上述したようなオンラインゲームサービスを受けており、オンラインゲームサービス上で知り合った仲であるとする。携帯電話機１３の記憶部５１は、図５で示したアドレス情報管理テーブル、図５および図６において示した特殊グループ管理テーブルを記憶しているものとする。また、他の携帯電話機の電話番号は「０５０−６７８９−０１ｘｘ」であり、これは、図５で示した、アドレス情報管理テーブルの「電話番号情報」に含まれる。また、図６の特殊グループ管理テーブルにおける「ＷＥＢアクセス情報」は、上記において説明したオンラインゲームサービス上の特定の場所を示すものとする。
【０１９３】
この場合、他の携帯電話機から、電話着信を受けた携帯電話機１３は、相手の電話番号である「０５０−６７８９−０１ｘｘ」を検知し、記憶部５１から対応するアドレス情報管理テーブルを取得する。そして、「Ｗｅｂ家族」の特殊グループ管理テーブルの「ＷＥＢアクセス情報」を用いて、ブラウザを起動し、図４の（ｂ）に示すような、オンラインゲーム上の特定の場所を示すＷｅｂページにアクセスすることができる。また、同時に、スピーカホンの機能を用いて通話を楽しむことができる。そして、上記のＷｅｂページはイメージ画像として携帯電話機１３に保存され、後に参照することができる。
【０１９４】
なお、前述の「２画面」の項目において、「ＯＮ  ４」を設定しておくことで、電話受信時において表示部５９において表示する、２つ画面が表示される。そのうち一方の画面に、通信先のプロフィールが表示されることとなる。また、本実施の形態においては、プロフィール画面において、上記「画面キャプチャ設定」を「ＯＮ」に設定することで、取得される画面イメージが表示されるものとする。そのため、このように設定しておくことで、電話受信時において、通信先の相手が使用するオンラインゲームサービス上のキャラクターについて最新のイメージ画像（通信先属性情報）を表示させることができ、オンラインゲームサービスの雰囲気を損なうことがない。
【０１９５】
このように、普段はオンラインゲームサービス上で、コミュニケーションを取る間柄の相手と電話をするとき、オンラインゲームサービス上の特定の場所を示すＷｅｂページを携帯電話機１３によって表示することができるので、ゲームに対する没入感をより一層深くすることができる。
【０１９６】
（電話発信時における処理の流れ）
なお、携帯電話機１３から、他の携帯電話機に対し電話をかける場合の携帯電話機１３の処理手順について、図８を用いて説明すると以下の通りになる。
【０１９７】
まず、携帯電話機１３が他の携帯電話機に対して電話発信する（Ｓ２１）。そして、Ｗｅｂページ決定部７２が、他の携帯電話の電話番号（通信先情報）に対応するアドレス情報管理テーブルあるいは対応する特殊グループ管理テーブルの「ＷＥＢアドレス情報」を参照し、値が設定されていない場合は（Ｓ２２においてＮＯ）、携帯電話機１３は通常の発信動作を行い（Ｓ２４）、その後、処理は終了する。
【０１９８】
一方で、上記「ＷＥＢアドレス情報」に値が設定されていた場合（Ｓ２２においてＹＥＳ）はさらに、Ｗｅｂページ決定部７２が、電話番号（通信先情報）に対応するアドレス情報管理テーブルあるいは対応する特殊グループ管理テーブルの「ブラウザ起動指示情報」を参照し、「ブラウザ起動機器特定情報」が設定されているかどうかを判定する。ここで、上記「ブラウザ起動指示情報」にブラウザを起動する機器が設定されていた場合（Ｓ２３においてＹＥＳ）、Ｗｅｂブラウザ起動指示部７５が、上記「ブラウザ起動指示情報」と接続が確立されていることを確認し、近距離無線通信によって連携が可能である場合（Ｓ２５においてＹＥＳ）は、指定された機器においてＷＥＢブラウザを起動するよう指示する（Ｓ２６）。
【０１９９】
一方で、上記「ブラウザ起動指示情報」において、「ブラウザ起動機器特定情報」が設定されていたにもかかわらず（Ｓ２３においてＹＥＳ）、指定された機器と連携が不可能であると判断された場合（Ｓ２５においてＮＯ）は、携帯電話機１３は通常の発信を行い（Ｓ２４）、その後、処理は終了する。
【０２００】
また、上記「ブラウザ起動指示情報」において、「ブラウザ起動機器特定情報」が設定されていなかった場合（Ｓ２３においてＮＯ）には、ブラウザ制御部７３が、所定の設定に基づいて、アクセスすべきＷＥＢページにアクセスする（Ｓ２７）。ここで、「スピーカホン設定」において「ＯＮ」が設定されていた場合（Ｓ２８においてＹＥＳ）、携帯電話機１３は、ユーザが画面を見ながら通話が可能なように、音声の入出力を調整する（Ｓ２９）。一方、「スピーカホン設定」が「ＯＦＦ」である場合は、処理は終了する。なお、Ｓ２６およびＳ２７において、「画面キャプチャ設定」が「ＯＮ」であれば、画面キャプチャ部７４がＷｅｂページのイメージ画像を取得する。
【０２０１】
なお、Ｓ２６において、データ中継指示部７６が、データ通信は携帯電話機１３の電話の発信処理であって、「データ中継指示情報」が「ＯＮ」と判定された場合は、「データ中継機器特定情報」によって特定される機器に対して音声通話データを転送し、上記特定される機器を介して通話ができるよう機器に指示するという処理を行ってもよい。
【０２０２】
ここで、ユーザＡの携帯電話機１３から、ユーザＢの他の携帯電話機に対して電話発信する例を説明する。また、以下の説明においては、図５におけるアドレス情報管理テーブルの「特殊グループ名」において、「Ｗｅｂ家族」を「Ｗｅｂゲーム」と読み替える。それ以外の設定については前述のとおりとする。なお、図７の「Ｗｅｂゲーム」の特殊グループ管理テーブルにおいて「ブラウザ起動指示情報」の「ブラウザ起動機器特定情報」に設定されている機器はＩＰアドレス「ｘｘｘ．ｘｘｘ．ｘｘｘ．ｘｘｘ」が割り振られた、ＩＰ電話機能を備えたＰＣであるとする。「データ中継指示情報」に含まれる「データ中継機器特定情報」に指定されている機器についても同様とする。
【０２０３】
このような状況の場合、携帯電話機１３から他の携帯電話に対し電話発信を行うと、携帯電話機１３は、発信する相手の電話番号である「０５０−６７８９−０１ｘｘ」を検知し、記憶部５１から対応するアドレス情報管理テーブルを読み出す。そして、「特殊グループ登録名」が「Ｗｅｂゲーム」である特殊グループ管理テーブルの「ＷＥＢアクセス情報」を参照し、アクセスすべきＷｅｂページを決定する。
【０２０４】
なお、上記の電話発信の動作は、前述の〔記憶部のデータ詳細・アドレス情報〕において説明したアドレス情報管理テーブルの一覧表示から行ってもよい。
【０２０５】
そして、「ブラウザ起動指示情報」の「ブラウザ起動機器特定情報」が特定するＰＣに対して、Ｗｅｂブラウザを起動し、上記アクセスすべきＷｅｂページを表示するよう指示する。このようにして、図４の（ａ）に示すような、オンラインゲーム上の特定の場所を示すＷｅｂページにアクセスすることができる。また、ここで「データ中継指示情報」が「ＯＮ」となっているので、データ中継指示部７６が近距離無線通信部６２を介して「データ中継機器特定情報」によって特定されるＰＣに対して通話の音声を転送する。このため、ＰＣを介した通話が可能となる。また、このとき携帯電話通信網以外の通信を行っている旨を、携帯電話機１３が報知するようにしてもよい。例えば、携帯電話通信網以外の通信を行っていることを示すために、所定のアイコンを表示部５９等に表示するようにしてもよいし、報知部６０が備えるＬＥＤなどのインディケータを所定の色に発光させるようにしてもよい。
【０２０６】
なお、本実施の形態においては、データ中継指示部７６において、音声データに関するデータ中継について開示したがこれに限られない。例えば、動画データなどのデータ中継をしてもよい。また、携帯電話１３のインターネット機能によってＩＰ電話網に接続し、上記のようにＰＣを介さずＩＰ電話機能を利用できるように構成することも可能である。
【０２０７】
以上のように、本発明に係るデータ通信処理機能を有する通信端末を、一例として、携帯可能な携帯通信端末である携帯電話機に適用した実施形態について説明したが、これに限られない。例えば、携帯通信端末は、いわゆるスマートフォンに代表されるような、データ通信処理機能を有するＰＤＡであってもよい。
【０２０８】
また、本発明に係る通信端末について、データ通信処理機能に採用される伝送媒体としては、特に限定されず、例えば、赤外線、Ｂｌｕｅｔｏｏｔｈ（登録商標）、無線ＬＡＮ（Local Area Network）、携帯電話網などのうち一つもしくは任意の組み合わせを採用するによって、実現可能である。さらに、本発明に係る通信端末について、少なくとも１つ以上のデータ通信処理機能を備えるよう構成できることは明らかである。
【０２０９】
また、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２１０】
最後に、携帯電話機１３の各ブロック、特に制御部５０は、ハードウェアロジックによって構成してもよいし、次のようにＣＰＵを用いてソフトウェアによって実現してもよい。
【０２１１】
すなわち、携帯電話機１３は、各機能を実現する制御プログラムの命令を実行するＣＰＵ（central  processing  unit）、上記プログラムを格納したＲＯＭ（read  only  memory）、上記プログラムを展開するＲＡＭ（random  access  memory）、上記プログラムおよび各種データを格納するメモリ等の記憶装置（記録媒体）などを備えている。そして、本発明の目的は、上述した機能を実現するソフトウェアである携帯電話機１３の制御プログラムのプログラムコード（実行形式プログラム、中間コードプログラム、ソースプログラム）をコンピュータで読み取り可能に記録した記録媒体を、上記携帯電話機１３に供給し、そのコンピュータ（またはＣＰＵやＭＰＵ）が記録媒体に記録されているプログラムコードを読み出し実行することによっても、達成可能である。
【０２１２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１３】
また、携帯電話機１３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual  private  network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２１４】
本発明によれば、データ通信時に通信端末が、通信先を特定する通信先情報を検知し、該通信先情報に対応付けられたＷｅｂアクセス情報によって、Ｗｅｂブラウザが起動すべきＷｅｂページを決定するので、データ通信時に多様な情報をユーザに対し提供することができるので、特に携帯電話機をはじめとする携帯通信端末に適用することができる。
【図面の簡単な説明】
【０２１５】
【図１】本発明の実施形態に係る携帯電話機における制御部の要部構成を示すブロック図である。
【図２】上記携帯電話機における記憶部のアドレス情報管理テーブルのデータ構造を示す図である。
【図３】上記携帯電話機における処理の流れを示すフローチャートである。
【図４】上記携帯電話機の利用方法を示す概略図である。
【図５】上記携帯電話機における記憶部のアドレス情報管理テーブルのデータ構造を示す図である。
【図６】上記携帯電話機における記憶部の特殊グループ管理テーブルのデータ構造を示す図である。
【図７】上記携帯電話機における記憶部の特殊グループ管理テーブルのデータ構造を示す図である。
【図８】上記携帯電話機における処理の流れを示すフローチャートである。
【符号の説明】
【０２１６】
１３    携帯電話機（通信端末）
５０    制御部
５１    記憶部（記憶部）
５２    携帯電話用アンテナ部
５３    携帯電話網通信部
５４    音声処理部
５５    音声入力部
５６    音声出力部
５７    データ処理部
５８    操作部
５９    表示部
６０    報知部
６１    近距離無線通信用アンテナ部
６２    近距離無線通信部
７１    通信先検知部（通信先検知手段）
７２    Ｗｅｂページ決定部（リソース決定手段）
７３    Ｗｅｂブラウザ制御部
７４    画面キャプチャ部（キャプチャ手段）
７５    Ｗｅｂブラウザ起動指示部（Ｗｅｂブラウザ起動指示手段）
７６    データ中継指示部（データ中継指示手段）
【図１】
2009105686.tif 000003
【図２】
2009105686.tif 000004
【図３】
2009105686.tif 000005
【図４】
2009105686.tif 000006
【図５】
2009105686.tif 000007
【図６】
2009105686.tif 000008
【図７】
2009105686.tif 000009
【図８】
2009105686.tif 000010